(57)【要約】【課題】  ＭＢＭＳ  Ｎｏｔｉｆｉｃａｔｉｏｎメッセージに対して応答してくる無線端末の数を制限し、一時的な上り無線チャネルの負荷を防ぐことが可能な移動体通信システムを提供する。【解決手段】  無線基地局制御局３はＭＢＭＳ  Ｎｏｔｉｆｉｃａｔｉｏｎメッセージの中に、Ｒｐ及びＲｒというパラメータを設定して無線端末１に送信する。無線端末１は受信したＭＢＭＳ  Ｎｏｔｉｆｉｃａｔｉｏｎメッセージに応答するかどうかを、それらのパラメータを用いた計算結果に応じて決定する。無線端末１は上記の計算結果の値がＲｒの値に等しいか、下回れば、そのＭＢＭＳ  Ｎｏｔｉｆｉｃａｔｉｏｎメッセージに応答し、逆に上回れば、そのＭＢＭＳ  Ｎｏｔｉｆｉｃａｔｉｏｎメッセージに応答しない。無線基地局制御局３は応答してきた無線端末の数に応じてコンテンツの転送方式を決定する。【選択図】      図２                                                  
2005252506.tif 000002
【特許請求の範囲】
【請求項１】
無線基地局制御局から無線端末にコンテンツデータの転送を通知しかつその通知に応答する無線端末の数を計数するためのメッセージに対して前記無線端末から応答メッセージを返す移動体通信システムであって、
前記メッセージの中に応答する無線端末を制限するパラメータを設定する手段を前記無線基地局制御局に有し、
前記メッセージに対して応答メッセージを返すか否かを前記パラメータを用いて判定する手段を前記無線端末に有することを特徴とする移動体通信システム。
【請求項２】
前記パラメータを用いて判定する手段は、前記メッセージに設定されたパラメータがＲｐ及びＲｒの場合に、
Ｒｒ≧［無線端末固有番号の下１バイト］  Ｍｏｄｕｌｏ（Ｒｐ）
という計算式の結果に基づいて前記メッセージに対して応答メッセージを返すか否かを判定することを特徴とする請求項１記載の移動体通信システム。
【請求項３】
前記パラメータを用いて判定する手段は、前記メッセージに設定されたパラメータがＲｐ及びＲｒの場合に、
Ｒｒ≦［無線端末固有番号の下１バイト］  Ｍｏｄｕｌｏ（Ｒｐ）
という計算式の結果に基づいて前記メッセージに対して応答メッセージを返すか否かを判定することを特徴とする請求項１記載の移動体通信システム。
【請求項４】
前記無線端末固有番号が、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする請求項２または請求項３記載の移動体通信システム。
【請求項５】
前記パラメータを用いて判定する手段は、前記計算式の計算結果の値がＲｒの値以下の時に前記メッセージに応答し、前記計算式の計算結果の値がＲｒの値を超えた時に前記メッセージに応答しないことを特徴とする請求項２から請求項４のいずれか記載の移動体通信システム。
【請求項６】
前記無線基地局制御局は、前記応答メッセージを返してきた無線端末の数が予め設定されている閾値を超えなかった時に前記パラメータを変更して前記メッセージを再送信し、前記無線端末の数が前記閾値を超えた時に前記コンテンツデータの転送を行うことを特徴とする請求項１から請求項５のいずれか記載の移動体通信システム。
【請求項７】
前記無線基地局制御局は、前記メッセージを繰り返し送信して前記コンテンツデータをＰｔＰ（Ｐｏｉｎｔ  ｔｏ  Ｐｏｉｎｔ）方式及びＰｔＭ（Ｐｏｉｎｔ  ｔｏ  Ｍｕｌｔｉｐｏｉｎｔ）方式のいずれで転送するかを決定することを特徴とする請求項１から請求項６のいずれか記載の移動体通信システム。
【請求項８】
前記メッセージは、ＭＢＭＳ（Ｍｕｌｔｉｍｅｄｉａ  Ｂｒｏａｄｃａｓｔ  Ｍｕｌｔｉｃａｓｔ  Ｓｙｓｔｅｍ）  Ｎｏｔｉｆｉｃａｔｉｏｎメッセージであることを特徴とする請求項１から請求項７のいずれか記載の移動体通信システム。
【請求項９】
無線端末に対してコンテンツデータの転送を通知しかつその通知に応答する無線端末の数を計数するためのメッセージを送信し、前記メッセージに対する前記無線端末からの応答メッセージを受信する無線基地局制御局であって、
前記メッセージの中に応答する無線端末を制限するパラメータを設定する手段と、前記パラメータを用いて前記応答メッセージを返してきた無線端末の数を計数手段とを有することを特徴とする無線基地局制御局。
【請求項１０】
前記パラメータがＲｐ及びＲｒの場合に、
Ｒｒ≧［無線端末固有番号の下１バイト］  Ｍｏｄｕｌｏ（Ｒｐ）
という計算式の結果に基づいて前記応答メッセージを返してきた無線端末の数を計数することを特徴とする請求項９記載の無線基地局制御局。
【請求項１１】
前記パラメータがＲｐ及びＲｒの場合に、
Ｒｒ≦［無線端末固有番号の下１バイト］  Ｍｏｄｕｌｏ（Ｒｐ）
という計算式の結果に基づいて前記応答メッセージを返してきた無線端末の数を計数することを特徴とする請求項９記載の無線基地局制御局。
【請求項１２】
前記無線端末固有番号が、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする請求項１０または請求項１１記載の無線基地局制御局。
【請求項１３】
前記無線端末が、前記計算式の計算結果の値がＲｒの値以下の時に前記メッセージに応答し、前記計算式の計算結果の値がＲｒの値を超えた時に前記メッセージに応答しないことを特徴とする請求項１０から請求項１２のいずれか記載の無線基地局制御局。
【請求項１４】
前記応答メッセージを返してきた無線端末の数が予め設定されている閾値を超えなかった時に前記パラメータを変更して前記メッセージを再送信し、前記無線端末の数が前記閾値を超えた時に前記コンテンツデータの転送を行うことを特徴とする請求項９から請求項１３のいずれか記載の無線基地局制御局。
【請求項１５】
前記メッセージを繰り返し送信して前記コンテンツデータをＰｔＰ（Ｐｏｉｎｔ  ｔｏ  Ｐｏｉｎｔ）方式及びＰｔＭ（Ｐｏｉｎｔ  ｔｏ  Ｍｕｌｔｉｐｏｉｎｔ）方式のいずれで転送するかを決定することを特徴とする請求項９から請求項１４のいずれか記載の無線基地局制御局。
【請求項１６】
前記メッセージは、ＭＢＭＳ（Ｍｕｌｔｉｍｅｄｉａ  Ｂｒｏａｄｃａｓｔ  Ｍｕｌｔｉｃａｓｔ  Ｓｙｓｔｅｍ）  Ｎｏｔｉｆｉｃａｔｉｏｎメッセージであることを特徴とする請求項９から請求項１５のいずれか記載の無線基地局制御局。
【請求項１７】
無線基地局制御局から無線端末にコンテンツデータの転送を通知しかつその通知に応答する無線端末の数を計数するためのメッセージに対して前記無線端末から応答メッセージを返す移動体通信システムに用いられる一斉応答負荷低減方法であって、前記無線基地局制御局が、前記メッセージの中に応答する無線端末を制限するパラメータを設定し、前記無線端末が、前記メッセージに対して応答メッセージを返すか否かを前記パラメータを用いて判定することを特徴とする一斉応答負荷低減方法。
【請求項１８】
前記パラメータがＲｐ及びＲｒの場合に、前記無線端末が、
Ｒｒ≧［無線端末固有番号の下１バイト］  Ｍｏｄｕｌｏ（Ｒｐ）
という計算式の結果に基づいて前記メッセージに対して応答メッセージを返すか否かを判定することを特徴とする請求項１７記載の一斉応答負荷低減方法。
【請求項１９】
前記パラメータがＲｐ及びＲｒの場合に、前記無線端末が、
Ｒｒ≦［無線端末固有番号の下１バイト］  Ｍｏｄｕｌｏ（Ｒｐ）
という計算式の結果に基づいて前記メッセージに対して応答メッセージを返すか否かを判定することを特徴とする請求項１７記載の一斉応答負荷低減方法。
【請求項２０】
前記無線端末固有番号が、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする請求項１８または請求項１９記載の一斉応答負荷低減方法。
【請求項２１】
前記無線端末が、前記計算式の計算結果の値がＲｒの値以下の時に前記メッセージに応答し、前記計算式の計算結果の値がＲｒの値を超えた時に前記メッセージに応答しないことを特徴とする請求項１８から請求項２０のいずれか記載の一斉応答負荷低減方法。
【請求項２２】
前記無線基地局制御局が、前記応答メッセージを返してきた無線端末の数が予め設定されている閾値を超えなかった時に前記パラメータを変更して前記メッセージを再送信し、前記無線端末の数が前記閾値を超えた時に前記コンテンツデータの転送を行うことを特徴とする請求項１７から請求項２１のいずれか記載の一斉応答負荷低減方法。
【請求項２３】
前記無線基地局制御局が、前記メッセージを繰り返し送信して前記コンテンツデータをＰｔＰ（Ｐｏｉｎｔ  ｔｏ  Ｐｏｉｎｔ）方式及びＰｔＭ（Ｐｏｉｎｔ  ｔｏ  Ｍｕｌｔｉｐｏｉｎｔ）方式のいずれで転送するかを決定することを特徴とする請求項１７から請求項２２のいずれか記載の一斉応答負荷低減方法。
【請求項２４】
前記メッセージが、ＭＢＭＳ（Ｍｕｌｔｉｍｅｄｉａ  Ｂｒｏａｄｃａｓｔ  Ｍｕｌｔｉｃａｓｔ  Ｓｙｓｔｅｍ）  Ｎｏｔｉｆｉｃａｔｉｏｎメッセージであることを特徴とする請求項１７から請求項２３のいずれか記載の一斉応答負荷低減方法。
【発明の詳細な説明】
【技術分野】
【０００１】
本発明は移動体通信システム、無線基地局制御局及びそれら用いる一斉応答負荷低減方法に関し、特に移動体通信システムのマルチキャストにおける無線端末からの一斉応答の負荷低減方法に関する。
【背景技術】
【０００２】
移動体通信システムのマルチキャストはＭＢＭＳ（Ｍｕｌｔｉｍｅｄｉａ  Ｂｒｏａｄｃａｓｔ  Ｍｕｌｔｉｃａｓｔ  Ｓｙｓｔｅｍ）と称されており、無線基地局が管理するセルに在圏している複数の無線端末に対して、同一のコンテンツデータを配信する機能である。
【０００３】
このＭＢＭＳ機能における無線基地局制御局ＲＮＣ（Ｒａｄｉｏ  Ｎｅｔｗｏｒｋ  Ｃｏｎｔｒｏｌｌｅｒ）は、セルに在圏し、ＭＢＭＳサービスにジョイン（ｊｏｉｎ：参加）し、コンテンツデータを受信する予定の無線端末（以下、無線端末とする）の数を知ることによって、コンテンツデータを当該セルで各無線端末に対して、ＰｔＰ（Ｐｏｉｎｔ  ｔｏ  Ｐｏｉｎｔ）方式で転送するか、ＰｔＭ（Ｐｏｉｎｔ  ｔｏ  Ｍｕｌｔｉｐｏｉｎｔ）方式で転送するかを決めている。
【０００４】
すなわち、無線基地局制御局ＲＮＣは無線端末の数が予め無線基地局制御局ＲＮＣ内に設定されている閾値を上回れれば、ＰｔＭ方式でコンテンツデータを転送し、逆にその閾値を下回れれば、ＰｔＰ方式でコンテンツデータを転送している。ＰｔＰ方式か、ＰｔＭ方式かによってコンテンツデータを転送するのを無線端末の数によって決めるのは、無線送信電力の節約を考慮しているためである。
【０００５】
無線基地局制御局ＲＮＣは当該セル内の無線端末の数を知るために、ＭＢＭＳ  Ｎｏｔｉｆｉｃａｔｉｏｎ（ＭＢＭＳ通知）というメッセージを送信し、そのＭＢＭＳ  Ｎｏｔｉｆｉｃａｔｉｏｎメッセージに対して応答してきた無線端末の数をカウントする手段が採用されている（例えば、非特許文献１参照）。
【０００６】
【特許文献１】“Ｍｕｌｔｉｍｅｄｉａ  ｂｒｏａｄｃａｓｔ／Ｍｕｌｔｉｃａｓｔ  Ｓｅｒｖｉｃｅ（ＭＢＭＳ）；Ａｒｃｈｉｔｅｃｔｕｒｅ  ａｎｄ  ｆｕｎｃｔｉｏｎａｌ  ｄｅｓｃｒｉｐｔｉｏｎ”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ２３．２４６  ｖｅｒｓｉｏｎ６．０．０  第８．１章  第３段落，２００３−０９］
【発明の開示】
【発明が解決しようとする課題】
【０００７】
上述した従来の移動体通信システムでは、当該セル内に位置する無線端末の数が多ければ、それはすなわち無線基地局制御局ＲＮＣからのＭＢＭＳ  Ｎｏｔｉｆｉｃａｔｉｏｎメッセージに対して応答する無線端末の数も多くになる。応答する無線端末の数が多ければ、一時的に上り無線チャネルのＲＡＣＨ（Ｒａｎｄｏｍ  Ａｃｃｅｓｓ  Ｃｈａｎｎｅｌ）を圧迫するという問題が発生する。
【０００８】
この問題が発生すると、ＭＢＭＳサービスの目的以外のサービスに影響を与えることになる。例えば、通常の発信呼や着信呼に関わる信号は無線基地局制御局ＲＮＣに届かなくなることで、一時的に発信呼や着信呼ができなくなる恐れがある。
【０００９】
そこで、本発明の目的は上記の問題点を解消し、ＭＢＭＳ  Ｎｏｔｉｆｉｃａｔｉｏｎメッセージに対して応答してくる無線端末の数を制限し、一時的な上り無線チャネルの負荷を防ぐことができる移動体通信システム、無線基地局制御局及びそれら用いる一斉応答負荷低減方法を提供することにある。
【課題を解決するための手段】
【００１０】
本発明による移動体通信システムは、無線基地局制御局から無線端末にコンテンツデータの転送を通知しかつその通知に応答する無線端末の数を計数するためのメッセージに対して前記無線端末から応答メッセージを返す移動体通信システムであって、
前記メッセージの中に応答する無線端末を制限するパラメータを設定する手段を前記無線基地局制御局に備え、
前記メッセージに対して応答メッセージを返すか否かを前記パラメータを用いて判定する手段を前記無線端末に備えている。
【００１１】
本発明による無線基地局制御局は、無線端末に対してコンテンツデータの転送を通知しかつその通知に応答する無線端末の数を計数するためのメッセージを送信し、前記メッセージに対する前記無線端末からの応答メッセージを受信する無線基地局制御局であって、
前記メッセージの中に応答する無線端末を制限するパラメータを設定する手段と、前記パラメータを用いて前記応答メッセージを返してきた無線端末の数を計数手段とを備えている。
【００１２】
本発明による一斉応答負荷低減方法は、無線基地局制御局から無線端末にコンテンツデータの転送を通知しかつその通知に応答する無線端末の数を計数するためのメッセージに対して前記無線端末から応答メッセージを返す移動体通信システムに用いられる一斉応答負荷低減方法であって、前記無線基地局制御局が、前記メッセージの中に応答する無線端末を制限するパラメータを設定し、前記無線端末が、前記メッセージに対して応答メッセージを返すか否かを前記パラメータを用いて判定している。
【００１３】
すなわち、本発明の移動体通信システムは、無線基地局制御局ＲＮＣ（Ｒａｄｉｏ  Ｎｅｔｗｏｒｋ  Ｃｏｎｔｒｏｌｌｅｒ）から送信するＭＢＭＳ  Ｎｏｔｉｆｉｃａｔｉｏｎ（通知）メッセージに応答する無線端末の数を制限し、一時的な上り無線チャネルの負荷を低減するメカニズムである。
【００１４】
すなわち、無線基地局制御局ＲＮＣは送信するＭＢＭＳ  Ｎｏｔｉｆｉｃａｔｉｏｎメッセージの中に、応答する無線端末を制限するパラメータを設定し、該当する無線端末だけが応答するという方法である。
【００１５】
具体的に説明すると、無線基地局制御局ＲＮＣはＭＢＭＳ  Ｎｏｔｉｆｉｃａｔｉｏｎメッセージの中に、Ｒｐ及びＲｒというパラメータを設定し、受信した無線端末はＭＢＭＳ  Ｎｏｔｉｆｉｃａｔｉｏｎメッセージに応答するかどうか、
Ｒｒ≧［無線端末固有番号であるＩＭＳＩの下１バイト］
Ｍｏｄｕｌｏ  （Ｒｐ）
という計算式の結果にしたがう。ここで、Ｒｒの値は０〜２５５、Ｒｐ：値は０〜２５５であり、０はすべての無線端末が応答することを意味している。また、「ＩＭＳＩ」は「Ｉｎｔｅｒｎａｔｉｏｎａｌ  Ｍｏｂｉｌｅ  Ｓｕｂｓｃｒｉｂｅｒ  Ｉｄｅｎｔｉｔｙ」の略称である。
【００１６】
無線端末は上記の計算式で計算した結果の値がＲｒの値に等しいか、下回れば、そのＭＢＭＳ  Ｎｏｔｉｆｉｃａｔｉｏｎメッセージに応答するが、逆に上回れば、そのＭＢＭＳ  Ｎｏｔｉｆｉｃａｔｉｏｎメッセージに応答しない。
【００１７】
また、このＭＢＭＳ  Ｎｏｔｉｆｉｃａｔｉｏｎメッセージに対して応答してきた無線端末の数が無線基地局制御局ＲＮＣ内に予め設定されている閾値を超えなければ、無線基地局制御局ＲＮＣはＲｐ及びＲｒの値を変更し、再度ＭＢＭＳ  Ｎｏｔｉｆｉｃａｔｉｏｎメッセージを送信する。このＭＢＭＳ  Ｎｏｔｉｆｉｃａｔｉｏｎメッセージに対して一度応答した無線端末は再度送られてきたＭＢＭＳ  Ｎｏｔｉｆｉｃａｔｉｏｎメッセージを無視するが、そのほかの無線端末は上記の計算式で再度計算し、応答するかどうか、上記の計算結果にしたがう。
【００１８】
ここで、ＭＢＭＳ  Ｎｏｔｉｆｉｃａｔｉｏｎメッセージは無線端末の数をカウントする目的と、無線端末にコンテンツデータの転送を通知する目的とを有している。無線端末の数をカウントする目的のＭＢＭＳ  Ｎｏｔｉｆｉｃａｔｉｏｎメッセージの繰り返し回数制限Ｎは、実際にシステムに運用する時にオペレータが設定する。
【００１９】
これによって、本発明の移動体通信システムでは、無線基地局制御局ＲＮＣがコンテンツデータを転送する前に送信するＭＢＭＳ  ＮｏｔｉｆｉｃａｔｉｏｎメッセージにＲｐ及びＲｒのパラメータを設定し、無線端末がこのＲｐ及びＲｒのパラメータを用いて上記の計算式で計算し、そのＭＢＭＳ  Ｎｏｔｉｆｉｃａｔｉｏｎメッセージに対して応答するかどうかを判断する。
【００２０】
よって、本発明の移動体通信システムでは、ＭＢＭＳ  Ｎｏｔｉｆｉｃａｔｉｏｎメッセージに対して応答してくる無線端末の数を制限し、一時的な上り無線チャネルの負荷を防ぐことが可能となる。
【００２１】
また、本発明の移動体通信システムでは、応答してきた無線端末の数が閾値に達していない場合、無線基地局制御局ＲＮＣがＲｐ及びＲｒの値を変更し、Ｎｏｔｉｆｉｃａｔｉｏｎを繰り返すことによって、コンテンツデータをＰｔＰ（Ｐｏｉｎｔ  ｔｏ  Ｐｏｉｎｔ）方式で転送するか、ＰｔＭ（Ｐｏｉｎｔ  ｔｏ  Ｍｕｌｔｉｐｏｉｎｔ）方式で転送するかを確実に決めることが可能となる。
【発明の効果】
【００２２】
本発明は、以下に述べるような構成及び動作とすることで、ＭＢＭＳ  Ｎｏｔｉｆｉｃａｔｉｏｎメッセージに対して応答してくる無線端末の数を制限し、一時的な上り無線チャネルの負荷を防ぐことができるという効果が得られる。
【発明を実施するための最良の形態】
【００２３】
次に、本発明の実施例について図面を参照して説明する。図１は本発明の一実施例による移動体通信システムの構成を示すブロック図である。図１において、本発明の一実施例による移動体通信システムは無線端末（ＵＥ：Ｕｓｅｒ  Ｅｑｕｉｐｍｅｎｔ）１と、無線基地局２と、無線基地局制御局（ＲＮＣ：Ｒａｄｉｏ  Ｎｅｔｗｏｒｋ  Ｃｏｎｔｒｏｌｌｅｒ）３と、ＳＧＳＮ［Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］４と、ＨＬＲ（Ｈｏｍｅ  Ｌｏｃａｔｉｏｎ  Ｒｅｇｉｓｔｅｒ）５と、ＧＧＳＮ（Ｇａｔｅｗａｙ  ＧＰＲＳ  Ｓｕｐｐｏｒｔ  Ｎｏｄｅ）６と、マルチキャスト制御装置（ＢＭ−ＳＣ：Ｂｒｏａｄｃａｓｔ−Ｍｕｌｔｉｃａｓｔ  Ｓｅｒｖｉｃｅ  Ｃｅｎｔｒｅ）７と、コンテンツ・サーバ８，９と、マルチキャスト制御装置７とコンテンツ・サーバ９とを接続するインタネット１００とから構成されている。
【００２４】
図２は本発明の一実施例によるマルチキャストにおける制御シーケンスを示すシーケンスチャートであり、図３は本発明の一実施例によるＭＢＭＳ（Ｍｕｌｔｉｍｅｄｉａ  Ｂｒｏａｄｃａｓｔ  Ｍｕｌｔｉｃａｓｔ  Ｓｙｓｔｅｍ）  Ｎｏｔｉｆｉｃａｔｉｏｎ（通知）メッセージ処理を示すシーケンスチャートである。これら図１〜図３を参照して本発明の一実施例によるマルチキャストにおける制御シーケンスについて説明する。
【００２５】
無線端末１はまずＭＢＭＳのサービスに加入するために、加入信号（Ｓｕｂｓｃｒｉｐｔｉｏｎ信号）を、無線基地局制御局３を経由してマルチキャスト制御装置７に送信する（図２のａ１，ａ２）。
【００２６】
マルチキャスト制御装置７は新しいＭＢＭＳサービスを始める場合、サービスアナウンス（Ｓｅｒｖｉｃｅ  ａｎｎｏｕｎｃｅｍｅｎｔ）を、無線基地局制御局３を経由して無線端末１に転送する（図２のａ３，ａ４）。図２には一つの無線端末しか図示していないが、本当は多数の無線端末が存在するので、そのサービスアナウンスは一つの無線端末に向けての送信ではなく、多数の無線端末に対しての送信となる。
【００２７】
ＭＢＭＳのサービスに加入した無線端末１が、上記の新しいＭＢＭＳサービスのコンテンツデータを受信したい場合、ＩＧＭＰ（Ｉｎｔｅｒｎｅｔ  Ｇｒｏｕｐ  Ｍａｎａｇｅｍｅｎｔ  Ｐｒｏｔｏｃｏｌ）  ｊｏｉｎ（参加）の信号を、無線基地局制御局３を経由してマルチキャスト制御装置７に送信する（図２のａ５，ａ６）。
【００２８】
マルチキャスト制御装置７はコンテンツデータの配信を用意できたら、ＭＢＭＳセッションスタート（Ｓｅｓｓｉｏｎ  Ｓｔａｒｔ）信号を無線基地局制御局３に対して送信する（図２のａ７、図３のｂ１）。ＭＢＭＳセッションスタート信号の中には、サービス（Ｓｅｒｖｉｃｅ）ＩＤが含まれる。
【００２９】
無線基地局制御局３はマルチキャスト制御装置７からＭＢＭＳセッションスタート信号を受信すると、パラメータとしてＲｐ及びＲｒを設定する。例えば、Ｒｐの値＝４、Ｒｒの値＝１とする。
【００３０】
無線基地局制御局３はこのＲｐ及びＲｒと、受信したＭＢＭＳセッションスタート信号でのサービスＩＤとをあわせてＭＢＭＳ  Ｎｏｔｉｆｉｃａｔｉｏｎメッセージに設定する。
【００３１】
無線基地局制御局３はＭＢＭＳ  Ｎｏｔｉｆｉｃａｔｉｏｎメッセージを複数の無線端末１，１−１〜１−３に対して送信する（図２のａ８、図３のｂ２）。ＭＢＭＳ  Ｎｏｔｉｆｉｃａｔｉｏｎメッセージは特定の無線端末に対して送信するのではなく、複数の無線端末１，１−１〜１−３に対して送信する。図３では３つの無線端末しか図示していないが、それ以上の無線端末に対しても適用可能である。無線基地局制御局３はＭＢＭＳ  Ｎｏｔｉｆｉｃａｔｉｏｎメッセージを送信するたびに、送信回数をカウントアップする（送信回数＋１）（図３のｂ３）。
【００３２】
無線端末（ＵＥ＃１，ＵＥ＃２，ＵＥ＃３）１−１〜１−３各々のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）の下１バイトの値を、
ＵＥ＃１のＩＭＳＩの下１バイト＝１２５
ＵＥ＃２のＩＭＳＩの下１バイト＝１２６
ＵＥ＃３のＩＭＳＩの下１バイト＝１２７
とする。
【００３３】
ＭＢＭＳ  Ｎｏｔｉｆｉｃａｔｉｏｎメッセージを受信した無線端末（ＵＥ＃１，ＵＥ＃２，ＵＥ＃３）１−１〜１−３各々は、
Ｒｒ≧（無線端末固有番号であるＩＭＳＩの下１バイト）
Ｍｏｄｕｌｏ  （Ｒｐ）                        ・・・（１）
という計算式を計算し、右側の計算結果の値がＲｒに等しいか、それより小さければ、ＭＢＭＳ  Ｎｏｔｉｆｉｃａｔｉｏｎメッセージに対して応答（Ｒｅｓｐｏｎｓｅ）メッセージで応答する（図２のａ９、図３のｂ４）。
【００３４】
無線端末（ＵＥ＃１，ＵＥ＃２，ＵＥ＃３）１−１〜１−３各々の計算式の計算結果は、ＵＥ＃１の計算結果＝１、ＵＥ＃２の計算結果＝２、ＵＥ＃３の計算結果＝３となる。
【００３５】
したがって、無線端末（ＵＥ＃１）１−１のみが応答することとなり、無線端末（ＵＥ＃１）１−１は無線基地局制御局３からのＭＢＭＳ  Ｎｏｔｉｆｉｃａｔｉｏｎメッセージに対して応答メッセージを送信する。
【００３６】
無線基地局制御局３は応答メッセージを受信すると、無線端末の数を一つとしてカウントアップする（図３のｂ５）。無線基地局制御局３はカウンタの値が予め設定しておいた閾値より大きければ（図３のｂ６）、すなわちコンテンツデータをＰｔＭ（Ｐｏｉｎｔ  ｔｏ  Ｍｕｌｔｉｐｏｉｎｔ）方式で転送できると決定するので、マルチキャスト制御装置７からのコンテンツデータの受信待ちに遷移する。
【００３７】
また、無線基地局制御局３はカウンタの値が予め設定しておいた閾値より小さければ、すなわちコンテンツデータをＰｔＭ方式で転送する基準に達していないので、ＭＢＭＳ  Ｎｏｔｉｆｉｃａｔｉｏｎメッセージを繰り返し送信するための判断処理に入る。
【００３８】
ここでは、ＭＢＭＳ  Ｎｏｔｉｆｉｃａｔｉｏｎメッセージに対して遅れて応答する無線端末を考慮するために、待ちタイマが用意されている。無線基地局制御局３はこの待ちタイマがタイムアウトしたかどうかをチェックし（図３のｂ７）、タイムアウトでなければ、処理を待ちタイマ処理の直前に戻し、タイムアウトまで待つ。
【００３９】
無線基地局制御局３はこの待ちタイマがタイムアウトになると、ＭＢＭＳ  Ｎｏｔｉｆｉｃａｔｉｏｎメッセージの送信回数の判断処理に入る（図３のｂ８）。無線基地局制御局３はＭＢＭＳ  Ｎｏｔｉｆｉｃａｔｉｏｎメッセージの送信回数が繰り返し制限回数Ｎを超えたのであれば、すなわちＭＢＭＳ  Ｎｏｔｉｆｉｃａｔｉｏｎメッセージを再び送信しないこととなるので、その時点の無線端末の数でコンテンツデータをＰｔＰ（Ｐｏｉｎｔ  ｔｏ  Ｐｏｉｎｔ）方式で転送するか、ＰｔＭ方式で転送するかを決めなくてはならない。
【００４０】
無線基地局制御局３はＭＢＭＳ  Ｎｏｔｉｆｉｃａｔｉｏｎメッセージの送信回数が繰り返し制限回数Ｎを超えていないのであれば、再びＲｐ及びＲｒの値を変更し、ＭＢＭＳ  Ｎｏｔｉｆｉｃａｔｉｏｎメッセージを送信する（図３のｂ９）。例えば、無線基地局制御局３はＲｐ及びＲｒの値を、Ｒｐの値＝５、Ｒｒの値＝１というように変更する。
【００４１】
無線基地局制御局３は変更したＲｐ及びＲｒと、サービスＩＤとをＭＢＭＳ  Ｎｏｔｉｆｉｃａｔｉｏｎメッセージに設定し、再びＭＢＭＳ  Ｎｏｔｉｆｉｃａｔｉｏｎメッセージを無線端末（ＵＥ＃１，ＵＥ＃２，ＵＥ＃３）１−１〜１−３に送信する（図２のａ１０、図３のｂ９，ｂ１０）。尚、図２のａ７〜ａ１０に示すＭＢＭＳ  Ｎｏｔｉｆｉｃａｔｉｏｎメッセージ処理ｂは図３に示すＭＢＭＳ  Ｎｏｔｉｆｉｃａｔｉｏｎメッセージ処理に相当する。
【００４２】
無線端末（ＵＥ＃１）１−１はＭＢＭＳ  Ｎｏｔｉｆｉｃａｔｉｏｎメッセージに対して既に応答しているので、このＭＢＭＳ  Ｎｏｔｉｆｉｃａｔｉｏｎメッセージを受信しても無視する。
【００４３】
無線端末（ＵＥ＃２，ＵＥ＃３）１−２，１−３はこのＭＢＭＳ  Ｎｏｔｉｆｉｃａｔｉｏｎメッセージを受信すると、上記の（１）式を計算する。この場合、無線端末（ＵＥ＃２，ＵＥ＃３）１−２，１−３各々の計算結果は、ＵＥ＃２の計算結果＝１、ＵＥ＃３の計算結果＝２というようになる。
【００４４】
したがって、ＭＢＭＳ  Ｎｏｔｉｆｉｃａｔｉｏｎメッセージに対しては無線端末（ＵＥ＃２）１−２のみが応答することになり、ＭＢＭＳ  Ｎｏｔｉｆｉｃａｔｉｏｎメッセージに対して応答メッセージを送信する（図３のｂ１１）。応答メッセージを受信した無線基地局制御局３は再び上記の無線端末の数のカウント処理以降の処理を繰り返す（図３のｂ１２）。
【００４５】
無線基地局制御局３はＭＢＭＳ  Ｎｏｔｉｆｉｃａｔｉｏｎメッセージを送信し、それに対して応答してきた無線端末の数でコンテンツデータをＰｔＰ方式で転送するか、ＰｔＭ方式で転送するかを決定することができたとすると、ＰｔＭ方式で転送すると決定したのでれば、無線基地局制御局３はＭＢＭＳ  Ｒａｄｉｏ  Ｂｅａｒｅｒ  Ｉｎｆｏｒｍａｔｉｏｎ（ＭＢＭＳ無線ベアラインフォメーション）信号を送信する（図２のａ１１）。
【００４６】
逆に、ＰｔＰ方式で転送すると決定したのであれば、無線基地局制御局３は従来の方法で無線端末に対してＲａｄｉｏ  Ｂｅａｒｅｒ（無線ベアラ）を設定する。この方法については、従来の方法として公知であるので、その動作の説明は省略する。
【００４７】
しばらくすると、マルチキャスト制御装置７はコンテンツデータを無線基地局制御局３に送信し（図２のａ１２）、無線基地局制御局３はそのコンテンツデータを、上記の決定した方式（ＰｔＰ方式またはＰｔＭ方式）で無線端末１，（ＵＥ＃１，ＵＥ＃２，ＵＥ＃３）１−１〜１−３に転送する（図２のａ１３）。このコンテンツデータは無線端末１，（ＵＥ＃１，ＵＥ＃２，ＵＥ＃３）１−１〜１−３に繰り返し送信される。
【００４８】
このように、本実施例では、無線基地局制御局３がコンテンツデータを転送する前に送信するＭＢＭＳ  ＮｏｔｉｆｉｃａｔｉｏｎメッセージにＲｐ及びＲｒのパラメータを設定し、無線端末１，（ＵＥ＃１，ＵＥ＃２，ＵＥ＃３）１−１〜１−３がこのＲｐ及びＲｒのパラメータを用いて、上記の（１）式の計算式で計算し、そのＭＢＭＳ  Ｎｏｔｉｆｉｃａｔｉｏｎメッセージに対して応答するかどうかを判断する。
【００４９】
これによって、本実施例では、ＭＢＭＳ  Ｎｏｔｉｆｉｃａｔｉｏｎメッセージに対して応答してくる無線端末の数が制限され、一時的な上り無線チャネルの負荷を防ぐことができる。
【００５０】
また、本実施例では、応答してきた無線端末の数が閾値に達していない場合、無線基地局制御局３がＲｐ及びＲｒのパラメータの値を変更し、その変更したパラメータを付加したＭＢＭＳ  Ｎｏｔｉｆｉｃａｔｉｏｎメッセージを繰り返し送信することによって、コンテンツデータをＰｔＰ方式で転送するか、ＰｔＭ方式で転送するかを確実に決めることができる。
【００５１】
尚、上記のパラメータのＲｐ及びＲｒの設定値はあくまでも例であり、“０〜２５５”の値が設定可能である。また、（１）式においては、計算式の等式を「≧」としているが、等式として「≦」を用いることも可能である。すなわち、
Ｒｒ≦（無線端末固有番号であるＩＭＳＩの下１バイト）
Ｍｏｄｕｌｏ  （Ｒｐ）
とすることも可能である。
【図面の簡単な説明】
【００５２】
【図１】本発明の一実施例による移動体通信システムの構成を示すブロック図である。
【図２】本発明の一実施例によるマルチキャストにおける制御シーケンスを示すシーケンスチャートである。
【図３】本発明の一実施例によるＭＢＭＳ  Ｎｏｔｉｆｉｃａｔｉｏｎメッセージ処理を示すシーケンスチャートである。
【符号の説明】
【００５３】
１，１−１〜１−３  無線端末
２  無線基地局
３  無線基地局制御局
４  ＳＧＳＮ
５  ＨＬＲ
６  ＧＧＳＮ
７  マルチキャスト制御装置
８，９  コンテンツ・サーバ
１００  インタネット
【図１】
2005252506.tif 000003
【図２】
2005252506.tif 000004
【図３】
2005252506.tif 000005